(57)【要約】【課題】商品に付与した無線ＩＣタグを利用して商品陳列装置における陳列商品の価格の掲示ミスを防止する。【解決手段】本発明の商品陳列装置の代表例である自動販売機１は、価格表示装置２ａ〜２ｃを棚ごとに設置し、読取手段５ａは商品７ａに添付された無線ＩＣタグ９ａの価格情報を読み取って複数の価格情報を制御手段３ａに入力し、制御手段３ａは入力手段６ａから入力した第２の情報に基づいて販売価格を決定し、この販売価格を価格表示手段４ａに表示することで、棚に商品を並べるだけで正確な価格表示が行える。【選択図】図１
2006227780.tif 000002
【特許請求の範囲】
【請求項１】
商品を配置する棚と、
前記棚ごとに設置されて前記商品に添付された無線ＩＣタグの情報を読み取る読取手段と、前記読取手段から情報を受け解析および制御を行う制御手段と、前記商品の販売価格を表示する価格表示手段とを有した、１つ以上の価格表示装置とを備え、
前記制御手段は前記無線ＩＣタグの情報に含まれた商品の販売価格を読み取って前記価格表示手段に表示する商品陳列装置。
【請求項２】
商品を配置する棚と、
前記棚ごとに設置されて前記商品に添付された無線ＩＣタグの情報を読み取る読取手段と、前記読取手段から情報を受け解析および制御を行う制御手段と、前記商品の販売価格を表示する価格表示手段と、前記販売価格を決定する第２の情報の入力手段を有した、１つ以上の価格表示装置とを備え、
前記無線ＩＣタグに書かれた複数の価格情報から前記入力手段により取得した第２の情報により販売価格を決定し、前記価格表示手段で前記販売価格を表示する商品陳列装置。
【請求項３】
入力手段として、切替スイッチなどの信号により第２の情報を取得する請求項２記載の商品陳列装置。
【請求項４】
入力手段として、情報サーバに蓄積された第２の情報を取得する通信手段を備える請求項２記載の商品陳列装置。
【請求項５】
電磁波遮断材で前記棚を構成した請求項１または請求項２記載の商品陳列装置。
【請求項６】
通信距離が近接する他の棚まで達しない読取手段を設置した請求項１または請求項２記載の商品陳列装置。
【請求項７】
請求項１〜４のいずれか記載の商品陳列装置において少なくともひとつの機能をコンピュータに実行させるためのプログラム。
【発明の詳細な説明】
【技術分野】
【０００１】
本発明は、無線ＩＣタグを利用した自動販売機などの商品陳列装置、および、そのプログラムに関するものである。
【背景技術】
【０００２】
商品の陳列販売が行われるスーパーマーケットなど販売店ではＰＯＳなどのシステムを導入して店舗内のリアルタイムな在庫管理などが進行している。また商品陳列装置の別の代表例である自動販売機は、街のいたるところに設置されており、最近では売上高情報について、ネットワークを介して把握できる高度な自動販売機も考案されている（例えば特許文献１を参照）。
【０００３】
また一方で、流通革命を目指して無線ＩＣタグが商品に添付されつつあり、商品には無線ＩＣタグが添付されているのが当たり前という状況に近づきつつある。
【特許文献１】特開２００３−１９６７１５号公報
【発明の開示】
【発明が解決しようとする課題】
【０００４】
しかしながら、販売価格の表示は店員などが作成した手書きや印刷物のプレートを商品列の前に掲げるといった方法が大半であり、棚に並べる商品とプレートの販売価格が間違いないかの合致性は人手による確認の手間に依存しているのが現状である。
【０００５】
最近では、ＬＥＤや液晶などの電子的に販売価格を表示する表示端末装置を棚ごとに多数敷設し、各表示端末装置が備えたシリアル番号に対応した価格情報を、店舗内の情報サーバと接続したメインの通信機器から赤外線や電波により一括送信して表示させる装置も商品化されている。しかし、各表示端末装置に表示された販売価格と該当する棚に並べる商品の価格の合致性は人手により確認せざるを得ないことに変りはない状況である。
【０００６】
こうした人手に頼った販売価格表示の手法では、時間帯ごとに値引きを行うタイムサービスや売れ筋に応じた陳列スペースの増減、特売セールによる値引き、時間帯ごとの客筋や買物用途にマッチした商品への陳列商品の並び替えなどが頻繁に行われるような熾烈な販売競争では、価格表示と陳列商品の間違いが発生したり、確認の手間が迅速な並び替えの足かせとなるなどの危惧がある。
【０００７】
こうした課題は、自動販売機での棚毎に掲示する価格表示においても同様である。例えば、巡回して商品の補給を行う保守員の手間の増大や商品の補給棚の取り違えなどを防止する観点から何区分かの価格に大別する程度に価格のバラエティを抑えるのが一般的で、季節性や近接の他社の自動販売機の状況により価格表示を変更したり価格の異なる商品に入れ替えを行ったりするといったスピーディな販売戦略を採ることができないなどの問題点があった。
【課題を解決するための手段】
【０００８】
そこで、前記の課題を解決するために、本発明の商品陳列装置は、商品を配置する棚と、前記棚ごとに設置されて商品に添付された無線ＩＣタグの情報を読み取る読取手段と、前記読取手段から情報を受け解析および制御を行う制御手段と、前記商品の販売価格を表示する価格表示手段とを有した１つ以上の価格表示装置とを備え、前記制御手段は前記無線ＩＣタグの情報に含まれた商品の販売価格を前記価格表示手段に表示するようにした。
【発明の効果】
【０００９】
このように、本発明によれば、商品を棚に並べさえすれば、該当する棚に敷設された価格表示装置が商品に付与された価格情報を読み取って販売価格を表示するため、棚に並んでいる商品と価格表示の合致性を人手に頼って管理する必要がなくなり販売現場における省力化、リアルタイムな価格戦略に応じた商品の並び替えなどが実現可能となった。
【発明を実施するための最良の形態】
【００１０】
第１の発明は、商品を配置する棚と、前記棚ごとに設置されて前記商品に添付された無線ＩＣタグの情報を読み取る読取手段と、前記読取手段から情報を受け解析および制御を行う制御手段と、前記商品の販売価格を表示する価格表示手段とを有した１つ以上の価格表示装置とを備え、前記制御手段は前記無線ＩＣタグの情報に含まれた商品の販売価格を前記価格表示手段に表示するようにした。これにより、人手に頼って商品と販売価格の合致性を確認する手間が減った上、ダイナミックな商品入れ替えなどの販売戦略における陳列間違いなどのロスコストを低減が期待できる。
【００１１】
第２の発明は、商品を配置する棚と、前記棚ごとに設置されて前記商品に添付された無線ＩＣタグの情報を読み取る読取手段と、前記読取手段から情報を受け解析および制御を行う制御手段と、前記商品の販売価格を表示する価格表示手段と前記販売価格を決定する第２の情報の入力手段を有した１つ以上の価格表示装置とを備え、前記無線ＩＣタグに書かれた複数の価格情報から前記入力手段により取得した第２の情報により販売価格を決定し、前記価格表示手段で前記販売価格を表示するようにした。
【００１２】
これにより、無線タグに書かれた標準時間帯の価格とタームサービス帯の価格などの条件ごとの複数の価格情報から、時間帯など第２の情報に合致する価格を表示でき、商品の陳列間違いや価格の改定ミスを危惧することなく、スピーディな価格戦略を行うことが可能となった。
【００１３】
第３の発明は、第２の発明において、入力手段として、価格表示装置の設けたスライドスイッチなどの信号により第２の情報を取得するようにした。これにより、簡単な操作で複数の商品の価格を販売戦略に応じてダイナミックに変えることが可能となった。
【００１４】
第４の発明は、第２の発明において、入力手段としてが、情報サーバに蓄積された第２の情報を取得する通信手段を備えるようにした。これにより、第２の情報を一斉配信すれば、商品ごとに価格変更を人手で管理する必要がなくなり、大幅な省力化が可能となった。
【００１５】
第５の発明は、第１または第２の発明において、電磁波遮断材で前記棚を構成した。これにより、棚ごとに電磁的に分離できるので、読取手段が例えば隣の棚から異なる商品に添付された無線ＩＣタグの情報を間違って読み出してしまうというようなトラブルを回避することが出来る。
【００１６】
第６の発明は、第１または第２の発明において、通信距離が近接する他の棚まで達しない読取手段を設置するようにした。これにより、特別な電磁波遮断対策をしなくても近接する棚に置かれた別の商品の無線ＩＣタグを誤って読み取ってしまうことがなくなり、シンプルな構成になる。
【００１７】
第７の発明は、第１〜４の発明において、少なくともひとつの機能をコンピュータに実行させるためのプログラムであり、ＣＰＵ、ＲＡＭ、ＲＯＭ、記憶装置、Ｉ／Ｏなどを備えた電気情報機器、コンピュータ等のハードリソースを協働させて本発明の一部あるいは全てをプログラムとして容易に実現することができる。また記録媒体に記録あるいは、通信回線を用いてプログラム配信することにより、プログラム配布が他の手段に比べて極めて簡単に実現できる。
【００１８】
以下、本発明の実施の形態について、図面を用いて一実施形態について詳細に説明する。なお、この実施の形態によって本発明が限定されるものではない。
【００１９】
（実施の形態１）
図１は本発明の商品陳列装置の実施の形態例として自動販売機の構成の一例を示す図である。
【００２０】
自動販売機１内には、内部に一例として三段構成の棚１２ａ、１２ｂ、１２ｃが構成され、各棚には価格表示装置２ａ、２ｂ、２ｃが備えられている。
【００２１】
価格表示装置２ａは、棚１２ａに陳列された商品７ａ、８ａに添付された無線ＩＣタグ９ａ、１０ａに記録した価格情報を読み取る読取手段５ａ、価格表示装置全体の制御を行う制御手段３ａ、液晶やドットマトリックス表示器などで構成した表示デバイスにより販売価格を購買者に提示する価格表示手段４ａ、スライドスイッチ等で構成した入力手段６ａを備えて構成する。価格表示装置２ａ内の制御手段３ａはマイコンおよびその周辺回路で構成する。
【００２２】
制御手段３ａは入力手段６ａのスライドスイッチの設定位置を第２の情報として入力し、無線ＩＣタグ９ａ、１０ａには、価格情報として、第２の情報と対にして複数の価格情報が記録されおり、この第２の情報と対になった価格情報を価格表示手段４ａに表示する。以下、棚１２ｂ、１２ｃについても同様に構成する。
【００２３】
第２の情報としては、スライドスイッチの位置に対応した単なる数字であっても良いし、特売セールなどを行う条件を決定するための地域コードや時間帯コード、曜日コードなど商品陳列装置が有するＩＤや時刻機能などと比較参照できる情報であればよく、合致する第２の情報と対になった価格を表示するように構成できるものである。
【００２４】
図１の自動販売機１内の棚１２ａ、１２ｂ、１２ｃは電磁波を遮断する材質（例えば金属）で構成されており、図１では便宜上、三段の棚に分かれて記述しているが、実際にはどのような配置で棚を分けても構わないが、それぞれの棚同士を電磁波遮断物質で構成して、お互いが電磁的に孤立していることが望ましい。
【００２５】
図１においても、上段の棚１２ａと中段の棚１２ｂ、下段の棚１２ｃを仕切る仕切り材の材質は、電磁波を遮断する材質で構成されており、上段の棚１２ａと中段の棚１２ｂ、下段の棚１２ｃが、それぞれ電磁的に仕切られた棚１２ａ、１２ｂ、１２ｃごとに読取手段５ａ、５ｂ、５ｃを備えた価格表示装置２ａ、２ｂ、２ｃが取り付けられている。
【００２６】
このように読取手段５ａ、５ｂ、５ｃは電磁的には完全に孤立しているので、お互い干渉することもなく、それぞれの棚に存在する商品７ａ、７ｂ、７ｃに添付された無線ＩＣタグ９ａ、９ｂ、９ｃを読取手段５ａ、５ｂ、５ｃが、それぞれ別個に読み出すことが出来る。
【００２７】
すなわち、図１において上段の棚１２ａにおいて、商品７ａに添付された無線ＩＣタグ９ａは読取手段５ａだけによって読み取られ、読取手段５ｂ、５ｃから読み取られることはない。逆に商品７ｂに添付された無線ＩＣタグ９ｂは読取手段５ｂだけによって読み取られ、読取手段５ａから読み取られることはない。
【００２８】
また、自動販売機１の棚１２ａの商品７ａ、８ａに示すように、同一の棚に複数の商品を並べることが可能であるように構成することもできる。この場合、一例としては、無線ＩＣタグ９ａ、１０ａのように同一の棚内には同一の価格情報を書き込んだ商品を収納し、読取手段５ａを複数の無線ＩＣタグが同時に読取できるマルチリーダの方式を用いて構成する方法、若しくは、お客さんに見える最前面の商品７ａの無線ＩＣタグ９ａのみ読取手段５ａの可能な距離範囲内に入る位置関係となるよう近距離タイプの方式を用いて構成する方法などが採れる。
【００２９】
特に、後者の近距離型の構成では同じ棚で異なった価格の商品を収納するといったことが可能となる上、この場合には、必ずしも電磁波遮断物質で構成された棚を用いる必要はなくなる。
【００３０】
以上の構成により、商品を各棚に陳列するだけで、価格表示装置に販売価格が表示されるので、従来のように人手に頼っては価格の表示プレートと陳列された商品が合致しているかを意識的に確認して陳列する手間を無くすことができる。
【００３１】
また、無線ＩＣタグ９ａなどに、入力手段から入力する第２の情報と対にした複数の価格情報を記録しておけるため、、例えば通常価格とタイムサービス期間価格などを記録しておけば、入力手段を構成するスライドスイッチの位置を変えるだけで価格の切替が可能となるため、価格表示の確認の手間が省けるため、価格表示のミスの心配のないスピーディな作業が可能となり、迅速な価格戦略販売を行うことが可能となる。
【００３２】
なお、以上の説明では、無線ＩＣタグには価格情報を記録する方法を説明したが、複数の価格情報を記録する場合には一方の価格からの比率などで記録し、読取手段で読み取った後に制御手段に記憶したプログラムにより表示する販売価格を計算する構成でももちろん構わない。
【００３３】
（実施の形態２）
図２は本発明の商品陳列装置の実施の形態例として、各表示装置が主制御手段１４を介在して情報サーバ１５とデータの送受信を行う通信手段を備えた、自動販売機の別の構成の一例を示す図である。実際にも、ＰＯＳ販売管理システムなどと連携した最新タイプの自動販売機では、自動販売機の機内の在庫情報や売り上げ情報をリアルタイムにアップロードするために、主制御手段がこうしたネットワーク通信との接続機能を有した機種も普及し始めている。
【００３４】
図２の自動販売機１７内には、自動販売機１７全体を制御する主制御手段１４を備え、この主制御手段１４は、ネットワーク１６を介して、店舗内に備えたローカルな情報サーバ１５や店舗外の自動販売機メーカや商品流通会社のサーバとの通信を行う通信機能を備えると共に、各棚の価格表示装置２ａ、２ｂ、２ｃ内の通信手段１３ａ、１３ｂ、１３ｃと通信してデータの収集や配信を行う通信機能を併せ持つ。その他の各構成手段は実施の形態１と同様に構成できるものである。
【００３５】
ここで述べているネットワーク１６はインターネットであって情報サーバ１５は外部にあっても構わないし、ネットワーク１６は店舗内ＬＡＮであって情報サーバ１５も店舗内にあっても構わない。
【００３６】
実施の形態１の自動販売機１では第２の情報をスライドスイッチにより入力する構成を示したが、実施の形態２の自動販売機１７では、第２の情報を主制御手段１４から各価格表示装置２ａ、２ｂ、２ｃの通信手段１３ａ、１３ｂ、１３ｃに配信する。価格表示装置２ａ、２ｂ、２ｃの制御手段３ａ、３ｂ、３ｃは、この配信された第２の情報に基づき、該当する棚の商品の無線ＩＣタグに記憶された複数の価格情報から第２の情報に基づいて販売価格を決定し、価格表示手段４ａ、４ｂ、４ｃに表示する。
【００３７】
例えば、第２の情報としては、特売日やタイムサービスなどの特売セールなどを行う際に価格を変更するための条件を示すＩＤなどであり、販売管理者が特売セールなどを行う際にこのＩＤを情報サーバ１５に登録し、主制御手段１４を経由して各価格表示装置２ａ、２ｂ、２ｃの通信手段１３ａ、１３ｂ、１３ｃに配信する。
【００３８】
各価格表示装置の制御手段３ａ、３ｂ、３ｃは、無線ＩＣタグ９ａ、９ｂ、９ｃに記録された価格情報から配信されたＩＤと対にして記録されている価格情報を読取手段５ａ、５ｂ、５ｃにより読出し、価格表示手段４ａ、４ｂ、４ｃの表示価格を一斉に更新して、特売セールなどに対応した新販売価格を表示するものである。
【００３９】
なお、第２の情報は、主制御手段１４に入力手段を設けて、この入力手段から入力する方法でも、本実施の形態２に示すように店舗内や外部の情報サーバ１５から配信する方式でも構わない。
【００４０】
また、図２の構成の場合には、無線ＩＣタグに記憶する価格情報自体も、価格の代わりに商品コードなどを記憶しておき、主制御手段１４を介して情報サーバ１５から価格情報をダウンロードする構成でも構わない。こういった方法は、特に価格の改定などが想定される場合に有効であり、無線ＩＣタグに直接価格情報を記憶していないため、いちいち商品に付与した無線ＩＣタグを交換する必要がなく、情報サーバ１５に登録した商品コードと価格情報マスターファイルを書き換えるだけで済む。
【００４１】
この際の動作の一例としては、価格表示装置２ａの読取手段５ａで読み出した商品７ａの無線ＩＣタグ９ａに記憶した商品コードを通信手段１３ａから主制御手段１４に送信すると、主制御手段１４はネットワーク１６を介して、店舗内の情報サーバ１５もしくは、食品会社の情報サーバの価格情報マスターファイルに、この商品コードをキーとしてアクセスする。このアクセスにより読み出された商品コードに対応した価格情報は、再び主制御手段１４を介して、価格表示装置２ａに送信され、制御手段３ａにより価格表示手段４ａに表示する。
【００４２】
この際、特売セールなどの第２の情報に対応した複数の価格情報が存在する場合には、情報サーバ１５側で、第２の情報に対応する価格情報のみを送信するように構成しても構わないし、主制御手段１４もしくは、価格表示装置２ａの制御手段３ａで第２の情報に対応する価格情報を決定する構成でも構わない。
【００４３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバ等のハードリソースを協働させるプログラムの形態で実施してもよい。プログラムの形態であれば、磁気メディアや光メディアなどの記録媒体に記録、もしくはインターネットなどの通信回線を用いて配信することで新しい機能の配布・更新やそのインストール作業が簡単にできる。
【産業上の利用可能性】
【００４４】
以上のように、本発明にかかる商品陳列装置、および、そのプログラムは、商品を棚に並べさえすれば、該当する棚に敷設された価格表示装置が商品に付与された価格情報を読み取って表示するため、棚に並んでいる商品と価格表示の合致性を人手に頼って管理する必要がなくなり販売現場における省力化、リアルタイムな商品入れ替え、価格改定などの販売戦略などが実現可能となった。
【図面の簡単な説明】
【００４５】
【図１】本発明の商品陳列装置の実施の形態１である、自動販売機の構成の一例を示す図
【図２】本発明の商品陳列装置の実施の形態２である、自動販売機の構成の一例を示す図
【符号の説明】
【００４６】
１、１７  自動販売機（商品陳列装置）
２ａ、２ｂ、２ｃ  価格表示装置
３ａ、３ｂ、３ｃ  制御手段
４ａ、４ｂ、４ｃ  通信手段
５ａ、５ｂ、５ｃ  価格表示手段
６ａ、６ｂ、６ｃ  入力手段
７ａ、７ｂ、７ｃ、８ａ、８ｂ、８ｃ  商品
９ａ、９ｂ、９ｃ、１０ａ、１０ｂ、１０ｃ  無線ＩＣタグ
１２ａ、１２ｂ、１２ｃ  棚
１３ａ、１３ｂ、１３ｃ  通信手段
１４  主制御手段
１５  情報サーバ
１６  ネットワーク
【図１】
2006227780.tif 000003
【図２】
2006227780.tif 000004